(57)【要約】【課題】リントの飛散の発生を抑制した清掃機構付きフィルタ装置およびそれを用いた布類乾燥装置を提供する。【解決手段】乾燥風を送る送風ダクト６に設置され、リント９を捕獲するフィルタ２１Ａと、フィルタ２１Ａで捕獲されたリント９を清掃する清掃部２３と、フィルタ２１Ａの上流側に位置する部分を含む管部２２と、を備え、フィルタ２１Ａ、清掃部２３および管部２２は、一体で装置本体に対して着脱が可能な着脱部１２であり、着脱部１２は、フィルタ２１Ａと管部２２を壁面とした、開口部２２ｄを有するカップ形状である。【選択図】図２
2018175595.tif 000002
【特許請求の範囲】
【請求項１】
乾燥風を送る送風路に設置され、リントを捕獲するフィルタと、
前記フィルタで捕獲されたリントを清掃する清掃手段と、
前記フィルタの上流側に位置する部分を含む前記送風路の一部と、を備え、
前記フィルタ、前記清掃手段および前記送風路の一部は、一体で装置本体に対して着脱が可能な着脱部であり、
前記着脱部は、前記フィルタと前記送風路の一部を壁面とした、開口部を有するカップ形状であることを特徴とする清掃機構付きフィルタ装置。
【請求項２】
請求項１に記載の清掃機構付きフィルタ装置において、
前記着脱部は、前記開口部と隣接する少なくとも一つ以上の面に、前記フィルタのフィルタ面が設けられていることを特徴とする清掃機構付きフィルタ装置。
【請求項３】
請求項１に記載の清掃機構付きフィルタ装置において、
前記清掃手段は、前記フィルタのフィルタ面に沿って移動させるブラシ状またはブレード状の清掃部を有することを特徴とする清掃機構付きフィルタ装置。
【請求項４】
請求項１に記載の清掃機構付きフィルタ装置において、
前記清掃手段は、清掃動作を行う清掃動作機構を備え、
前記着脱部は、前記清掃動作機構を覆う覆い部を備え、
前記着脱部を前記装置本体に取り付けたときに、前記清掃動作機構が前記覆い部によって覆われることを特徴とする清掃機構付きフィルタ装置。
【請求項５】
請求項３に記載の清掃機構付きフィルタ装置において、
前記送風路の一部は、送風時に前記清掃部を前記フィルタのフィルタ面と重ならない位置に退避させる退避部を備えることを特徴とする清掃機構付きフィルタ装置。
【請求項６】
請求項３に記載の清掃機構付きフィルタ装置において、
前記フィルタは、円弧状に湾曲して配置されるとともに、
前記清掃部は、前記フィルタの円弧の回転中心を支点として回転動作するように構成されていることを特徴とする清掃機構付きフィルタ装置。
【請求項７】
請求項３に記載の清掃機構付きフィルタ装置において、
前記フィルタは、平面扇状に形成されるとともに、
前記清掃部は、前記フィルタの扇状の回転中心を支点として回転動作するように構成されていることを特徴とする清掃機構付きフィルタ装置。
【請求項８】
請求項３に記載の清掃機構付きフィルタ装置において、
前記清掃部は、前記フィルタのフィルタ面に沿い、かつ、前記開口部に向かって平行移動する平行移動清掃体を有するとともに、
前記平行移動清掃体は、前記送風路の一部を貫通した外側に、当該平行移動清掃体を動作させる操作部を備えることを特徴とする清掃機構付きフィルタ装置。
【請求項９】
請求項３に記載の清掃機構付きフィルタ装置において、
前記清掃部は、前記フィルタのフィルタ面に沿い、かつ、前記開口部に向かって平行移動する平行移動清掃体を有するとともに、
前記平行移動清掃体は、前記送風路の一部の内側を前記開口部に向けて延びる腕部を備えることを特徴とする清掃機構付きフィルタ装置。
【請求項１０】
請求項５に記載の清掃機構付きフィルタ装置において、
前記清掃部は、前記着脱部を前記装置本体に設置したときに、当該清掃部を前記退避部に退避して保持させる清掃部退避機構によって退避することを特徴とする清掃機構付きフィルタ装置。
【請求項１１】
請求項１に記載の清掃機構付きフィルタ装置において、
前記着脱部は、前記開口部を開閉する蓋部を備え、
前記蓋部は、前記着脱部を前記装置本体に取り付けたときに開放し、取り外したときに閉鎖する開閉動作機構によって動作することを特徴とする清掃機構付きフィルタ装置。
【請求項１２】
請求項１から請求項１１のいずれか１項に記載の清掃機構付きフィルタ装置を用いたことを特徴とする布類乾燥装置。
【発明の詳細な説明】
【技術分野】
【０００１】
本発明は、乾燥機や洗濯乾燥機などに用いられるフィルタ装置であって、乾燥用送風ダクトに設けられたフィルタを簡便に清掃可能なフィルタ装置およびそれを用いた布類乾燥装置に関する。
【背景技術】
【０００２】
布類乾燥装置における乾燥フィルタを清掃する方式としては、装置内で自動清掃する方式が多く提案されている。特許文献１は、フィルタ近傍に機械的清掃装置を配置することで、フィルタを清掃する方式である。この他に、水を利用する清掃方式や風を利用する清掃方式なども提案されている。
【０００３】
自動清掃方式以外に、特許文献２では、フィルタ部を送風路から着脱可能に構成するとともに、フィルタ近傍にクリーニング機構を設けたものが提案されている。フィルタを着脱して、近傍に設置されたクリーニング機構でフィルタを清掃することで、清掃時の操作性を向上している。
【先行技術文献】
【特許文献】
【０００４】
【特許文献１】特開２０１１−１３０７８９号公報
【特許文献２】実開昭６０−１７９２９６号公報
【発明の概要】
【発明が解決しようとする課題】
【０００５】
しかしながら、乾燥フィルタを自動で清掃する方式は、特許文献１に開示されている機械的清掃装置を配置する方式とともに、水を利用する清掃方式や風を利用する清掃方式においても、清掃機構を駆動する駆動機構などが必要になり構造が複雑になるとともに、コストもかかる方式である。また、常に自動でのフィルタ清掃に十分な清掃性能を確保・維持できることが必要であるが、実際は、経時的に清掃性能が劣化したり、リントの種類によっては取りきれないなどの状況も起こる。このような場合、手動でフィルタ部を清掃することになるが、自動清掃機構を配置することで、フィルタ部の手動清掃が、煩雑になるなどの課題を有しているのが実情である。
【０００６】
また、手動での清掃性を改善することを目的として、特許文献２では、手動での清掃機構を備えた方式が開示されている。この方式では、着脱フィルタ部分にフィルタ上のリントを掻落とす清掃機構を一体配置している。しかしながら、フィルタを着脱後、掻取り部材を動かすことで、簡単にフィルタ上のリントを除去できるが、着脱および清掃時に、フィルタ上のリントが、脱落や飛散しやすいという課題を有している。
【０００７】
本発明の目的は、リントの飛散の発生を抑制した清掃機構付きフィルタ装置およびそれを用いた布類乾燥装置を提供することである。
【課題を解決するための手段】
【０００８】
本発明は、乾燥風を送る送風路に設置され、リントを捕獲するフィルタと、前記フィルタで捕獲されたリントを清掃する清掃手段と、前記フィルタの上流側に位置する部分を含む前記送風路の一部と、を備え、前記フィルタ、前記清掃手段および前記送風路の一部は、一体で前記送風路の他部に対して着脱が可能な着脱部であり、前記着脱部は、前記フィルタと前記送風路の一部を壁面とした、開口部を有するカップ形状であることを特徴とする。
【発明の効果】
【０００９】
本発明の構成によれば、リントの飛散の発生を抑制した清掃機構付きフィルタ装置およびそれを用いた布類乾燥装置を提供できる。
【図面の簡単な説明】
【００１０】
【図１】第１実施形態の清掃機構付きフィルタ装置を用いた布類乾燥装置を搭載した洗濯乾燥機を示す構成図である。
【図２】第１実施形態の清掃機構付きフィルタ装置を示し、（ａ）は布類乾燥装置に取り付けた状態、（ｂ）は運搬時の状態、（ｃ）フィルタ清掃時の状態である。
【図３】第１実施形態の清掃機構付きフィルタ装置を布類乾燥装置に取り付けた状態を示す断面図である。
【図４】第２実施形態に係る清掃機構付きフィルタ装置の実装配置の一例を説明する図である。
【図５】第２実施形態の清掃機構付きフィルタ装置を示し、（ａ）は布類乾燥装置に取り付けた状態、（ｂ）は運搬時の状態、（ｃ）フィルタ清掃時の状態である。
【図６】第２実施形態に係る清掃機構付きフィルタ装置の清掃動作機構の断面図を示し、（ａ）は清掃前、（ｂ）は清掃後である。
【図７】第３実施形態の清掃機構付きフィルタ装置の断面図を示し、（ａ）は清掃前、（ｂ）は清掃後である。
【図８】第４実施形態の清掃機構付きフィルタ装置の断面図を示し、（ａ）は清掃前、（ｂ）は清掃後である。
【図９】第５実施形態の清掃機構付きフィルタ装置の断面図を示し、（ａ）は清掃前、（ｂ）は清掃後である。
【図１０】第６実施形態の清掃機構付きフィルタ装置の断面図を示し、（ａ）は清掃前、（ｂ）は清掃後である。
【図１１】第７実施形態の清掃機構付きフィルタ装置の断面図を示し、（ａ）は運搬時の状態、（ｂ）は布類乾燥装置に取り付けた状態である。
【図１２】第８実施形態の清掃機構付きフィルタ装置を布類乾燥装置に取り付けた状態を示す断面図である。
【発明を実施するための形態】
【００１１】
以下、この発明を用いた清掃機構付きフィルタ装置（以下、フィルタ装置と略記）およびそれを用いた布類乾燥装置の実施形態を説明する。なお、図１では、布類乾燥装置を備えた洗濯乾燥機を例に挙げて説明するが、乾燥機能のみを備えた乾燥装置に適用することもできる。また、以下の各実施形態において、同一の構成については同一の符号を付して重複した説明を省略する。
【００１２】
（第１実施形態）
図１は、第１実施形態の清掃機構付きフィルタ装置を用いた布類乾燥装置を搭載した洗濯乾燥機を示す構成図である。なお、図１は、布類乾燥装置１００を搭載した横型回転ドラム式の洗濯乾燥機Ｆ１を概略的に図示している。
【００１３】
洗濯乾燥機Ｆ１は、筐体１内に、布類乾燥装置１００を備えている。この布類乾燥装置１００は、筐体１内に防振支持される外槽２、外槽２内に回転自在に支持される回転ドラム３、回転ドラム３を回転駆動させるドラムモータ４、送風ユニット５、送風ダクト６などを備えて構成されている。
【００１４】
外槽２は、略円筒形状を呈し、回転ドラム３を同軸上に内包し、前面が開口している。また、外槽２の開口には、ゴム製のベローズ（不図示）が設けられ、筐体１にヒンジを介して取り付けられた扉１６を閉じることで外槽２を水封するようになっている。
【００１５】
回転ドラム３は、回転可能に支持された円筒状の洗濯兼脱水槽であり、その外周壁および底壁に通水および通風のための多数の貫通孔（不図示）を有している。また、回転ドラム３には、回転ドラム３と一体に回転する流体バランサ（不図示）、回転ドラム３の回転時に洗濯物を持ち上げるリフタ（不図示）などが設けられている。
【００１６】
送風ユニット５は、送風機１４、ヒータ（不図示）を備えて構成されている。送風機１４は、例えば、モータケース内に駆動用モータ、ファン（羽根車）を備えて構成されている。モータケース内には、前記ヒータ（不図示）が設けられ、ファンから送られる空気を加熱して、回転ドラム３に送り込む。
【００１７】
送風ダクト６は、外槽２の底側と外槽２の上部とを接続する流路であり、外槽２の背面において鉛直方向上方に向けて延び、外槽２の上方において、前方に向けて延びている。また、送風ダクト６には、空気の流れに対して上流側から順に、除湿機構７、フィルタ装置８Ａ、送風ユニット５が設けられている。なお、除湿機構７は、水冷式、空冷式、ヒートポンプ式など各種の方式を適用できる。
【００１８】
また、洗濯乾燥機Ｆ１は、給水口１８や排水口１９を備えている。給水口１８は、水道栓（不図示）から供給された水道水を外槽２内に注水するように構成されている。排水口１９は、外槽２内の洗濯水を機外に排出するように構成されている。
【００１９】
布類乾燥装置１００では、布類（衣類など）が扉１６から回転ドラム３に投入される。回転ドラム３は、直結されたドラムモータ４で回転されることで、布類を撹拌するとともに、送風機１４から送風される空気（乾燥風）によって、布類を乾燥する。布類に送風される空気は、図示していないヒータによって、乾燥した温風が用いられる。乾燥した空気は、装置内に設けられた送風ダクト６（送風路）を通って、図１に示す矢印のルートで循環する。
【００２０】
第１実施形態のフィルタ装置８Ａは、布類乾燥装置１００の上部に配置されている。また、フィルタ装置８Ａは、布類乾燥装置１００に着脱可能に構成されている。例えば、フィルタ装置８Ａは、筐体１の天面１ａから上方へ引き抜くことで、取り外すことができる（図１の二点鎖線参照）。
【００２１】
ところで、布類乾燥装置１００の送風ダクト６には、乾燥中に布類などから発生したリント９(送風路内で回収される布類から発生するダスト)と呼ばれる糸くずなどが、流れ込む。この布類から発生したリント９が、糸くずとして、乾燥中の布類に再付着することは好ましくない。また、このリント９が大量に送風機１４に流入すると、送風機１４の故障の原因となる。このため、送風ダクト６にはリント９を取り除くためのメッシュ状のフィルタ２１Ａが設置される。
【００２２】
また、布類乾燥装置１００では、布類に非常に強力な送風を行うことで、短時間に布類の乾燥を行う。このため、送風ダクト６に流れる送風量も大きく、乾燥する布類の状態によるものの、送風ダクト６に設置されたフィルタ２１Ａには、比較的短い時間で大量のリント９が付着する。フィルタ２１Ａにリント９が付着すると、送風効率が低下することから、乾燥の効率も低下し、乾燥に必要な時間が長くなる。加えて、乾燥に要するエネルギ（電力）も大きくなる。効率的な布類の乾燥を実現するためには、送風ダクト６に設置されたフィルタ２１Ａから、常にリント９を除去することが必要である。性能を確保するためにフィルタ清掃は頻繁に行うことが必要であることから、フィルタ清掃作業は、この布類乾燥装置のメンテナンス上の大きな負荷となっている。
【００２３】
そこで、本実施形態は、このメンテナンス上の大きな負荷を抑制し、布類乾燥装置１００を常に効率的に動作させることを目的として、簡単な方法で、リント９の飛散などの発生しない清掃機構付きフィルタ装置８Ａを提供するものである。
【００２４】
図２は、第１実施形態の清掃機構付きフィルタ装置を示し、（ａ）は布類乾燥装置に取り付けた状態、（ｂ）は運搬時の状態、（ｃ）フィルタ清掃時の状態である。
図２（ａ）に示すように、フィルタ装置８Ａは、フィルタ２１Ａに付着したリント９を取り除くものであり、直線状に設けられた送風ダクト６に設けられている。図２（ａ）では、送風ダクト６の一部のみを紙面に示しており、ハッチングで示す部分が送風ダクト６から着脱される部分である。また、送風時の風は、矢印の方向(図中右から左)に流れる。
【００２５】
フィルタ装置８Ａは、リント９を捕獲するフィルタ２１Ａと、フィルタ２１Ａの上流側に位置する管部２２（送風路の一部）と、フィルタ２１Ａで捕獲されたリント９を清掃する清掃部２３（清掃手段）と、を備えて構成されている。また、フィルタ２１Ａと管部２２とが一体となって送風ダクト６（装置本体、送風路の他部）に着脱可能に構成されている。
【００２６】
フィルタ２１Ａは、略矩形状に形成されたメッシュ状（網目状）のものであり、フィルタ２１Ａのフィルタ面２１ｓが送風ダクト６の軸方向ｇに対して直交するように配置されている。なお、フィルタ２１Ａの平面形状は、矩形状に限定されるものではなく、送風ダクト６の形状に応じて適宜変更することができる。
【００２７】
管部２２は、送風ダクト６の周壁を構成する筒体２２ａと、この筒体２２ａの下流側の端部に形成されるフランジ部２２ｂと、清掃部２３を送風路から退避させる退避部２２ｃと、を有している。また、管部２２は、送風ダクト６に取り付けられたときに、管部２２と送風ダクト６との境界部分から空気が漏れ出ないように、パッキンなどを介して気密性が確保されるように構成されている。
【００２８】
筒体２２ａは、軸方向ｇの一端にフィルタ２１Ａが取り付けられ、軸方向ｇの他端にフィルタ２１Ａと対向するようにして開口部２２ｄが形成されている。また、筒体２２ａの上部には、覆い部２４が一体に形成されている。
【００２９】
フランジ部２２ｂは、筒体２２ａに対して内側に折れ曲がるようにして形成され、フランジ部２２ｂの縁にフィルタ２１Ａが固着されている。
【００３０】
退避部２２ｃは、断面視において凹状に形成され、清掃部２３を収納可能な容積を有している。また、退避部２２ｃの上流側には、筒体２２ａの内周壁面から突出する突起部２２ｅが形成されている。この突起部２２ｅは、断面視において略三角形状であり、上流側から下流側に向けて突出量が大きくなるようにテーパ面２２ｆを有している。このテーパ面２２を設けることで、管部２２内を通過する空気に対して過度な抵抗が発生するのを防止できる。また、突起部２２ｅは、清掃部２３に沿って（紙面垂直方向に沿って）形成されている。清掃部２３が退避部２２ｃに収納されている場合、清掃部２３とフィルタ２１Ａとが軸方向ｇにおいて重ならないように配置されている。これにより、清掃部２３によって風の流れが阻害されるのを抑制できる。
【００３１】
清掃部２３は、棒状のコア部材２３ａの外周面全体に、刷毛部材（ブラシ）２３ｂが植設されて構成されている。また、清掃部２３は、フィルタ２１Ａの上流側のフィルタ面２１ｓに沿って移動できるように構成されている。清掃部２３の動作機構については後記する。清掃部２３がフィルタ２１Ａ上を移動することで（回転しながら移動することで）、清掃部２３の刷毛部材２３ｂによって、フィルタ２１Ａ上のリント９が掻き取られる（捕獲される）。
【００３２】
図２（ａ）においてハッチング部で示すように、フィルタ装置８Ａは、フィルタ２１Ａと管部２２とを壁面とした、開口部２２ｄを有するカップ形状（カップ型）となるように構成されている。また、フィルタ２１Ａと管部２２と清掃部２３は、一体となって、布類乾燥装置１００（装置本体、図１参照）に対して着脱可能な着脱部１２として構成されている。
【００３３】
着脱部１２は、フィルタ２１Ａの上流側の管部２２（送風路の一部）を含み、図中のハッチングで示す部分である。図２（ａ）は管部２２の断面を示しているために、記載されていないが、ハッチング部と同じ長さの紙面手前と奥側の送風路壁面も一体で着脱する。また、着脱部１２は、管部２２の風上側に開口部２２ｄを有し、フィルタ２１Ａのフィルタ面２１ｓを底面(開口部と対向する面)とするカップ型となる。フィルタ２１Ａの軸方向ｇに直交する方向の一方の端部（図中上側）には、清掃部２３と、清掃部２３を格納する退避部２２ｃが設けられている。
【００３４】
図２（ｂ）は、送風ダクト６から着脱部１２を取り外して、着脱部１２を持ち運ぶときの状況を模式的に示している。なお、図２（ｂ）では、覆い部２４の図示を省略している（図２（ｃ）も同様）。着脱部１２は、前記のように、管部２２で構成される面とフィルタ２１Ａで構成される面とで、カップ型を構成している。このことから、開口部２２ｄを上向きにして持ち運ぶことで、フィルタ２１Ａ上のリント９が剥がれ落ち難くなるとともに、万一フィルタ２１Ａからリント９が剥がれ落ちても、着脱部１２のカップ内で保持することができる。
【００３５】
図２（ｃ）は、フィルタ２１Ａからリント９をダストボックス１０などへ廃棄する状況を模式的に示している。フィルタ２１Ａの清掃は、ダストボックス１０上で、開口部２２ｄを下向きにした状態において、清掃部２３をフィルタ２１Ａのフィルタ面２１ｓに平行に移動させることで行う。図２（ｃ）の太い実線矢印は、管部２２（送風路の一部）と清掃部２３の清掃時の動く方向を示している。清掃する場合には、管部２２を固定（保持）して、清掃部２３を矢印方向に移動させてもよく、清掃部２３を固定して、管部２２を矢印方向に移動させてもよく、管部２２と清掃部２３をそれぞれ移動させてもよい。また、清掃部２３は、フィルタ２１Ａ上を回転させながら移動してもよい。
【００３６】
このように、着脱部１２は、清掃部２３がフィルタ２１Ａと管部２２とで囲むように、カップ形状を有していることから、清掃部２３によってフィルタ２１Ａから掻き落とされたリント９は飛び散る心配がなく、開口部２２ｄからダストボックス１０に廃棄することが可能となる。本実施形態では、フィルタ２１Ａの清掃を手動のレバー（不図示）などで行うものとして説明したが、もちろん、モータとスイッチなどを設置して、電動で行う方法も可能である。
【００３７】
図１に示すように、フィルタ２１Ａのメンテナンス性などを考慮すると、本実施形態のフィルタ装置８Ａの設置位置は、図示した布類乾燥装置１００の上部が適切である。特に、洗濯乾燥機Ｆ１など水を回転ドラム３に溜める必要のある装置では、送風機１４（送風ユニット５）やフィルタ２１Ａおよび清掃部２３は、水の影響のない高い位置に設置することが望ましい。
【００３８】
図１の布類乾燥装置１００では、フィルタ装置８Ａと送風ユニット５との間に、もう一つのフィルタ（固定フィルタ１３）が配置されている。実際には本実施形態のフィルタ装置８Ａのフィルタ２１Ａで、送風ダクト６内を流れるリント９はほぼ回収できると考えられるが、本実施形態のようなフィルタ２１Ａを着脱清掃する機構においては、万一の場合にフィルタ２１Ａを破損する可能性もある。また、本実施形態のように、管部２２（送風路の一部）を着脱する構造では、着脱部１２を取り外したままで送風が行われる可能性もある。実際は、着脱部１２が取り外された状態では、送風動作が行われないように、着脱部１２の着脱検知と制御を設けることが望ましいが、検知不良や制御上の誤動作のリスクも考えられる。そのため、本実施形態の布類乾燥装置１００では、フィルタ装置８Ａと送風機１４との間に、固定フィルタ１３を設置する構造を基本としている。
【００３９】
現実には、本実施形態のフィルタ装置８Ａを取り付けての送風動作となるので、固定フィルタ１３の清掃は、ほぼ必要なく、メンテナンス上の大きな負担にはならない。しかし、送風ダクト６（送風路）に固定フィルタ１３があれば、いずれは上流のフィルタ２１Ａから漏れたリント９などが付着堆積して、送風を阻害していく可能性がある。そこで、本実施形態の布類乾燥装置１００では、固定フィルタ１３をフィルタ装置８Ａの直近に配置することで、フィルタ装置８Ａの着脱部１２から、清掃しやすくなる。本実施形態のフィルタ装置８Ａを実機に適用する際には、このような配慮を行うことも重要である。
【００４０】
図３は、第１実施形態の清掃機構付きフィルタ装置を布類乾燥装置に取り付けた状態を示す断面図である。
図３に示すように、フィルタ装置８Ａは、着脱部１２の上部に覆い部２４が設けられている。この覆い部２４は、筐体１に取り付けたときに、筐体１から突出しないように構成されている。また、覆い部２４は、板状の部材で構成され、その外周縁部から外側方に突出するつば部２４ａが形成されている。
【００４１】
また、フィルタ装置８Ａは、清掃部２３を動作させるための操作部２３ｃ，２３ｃを備えている。操作部２３ｃは、略棒形状であり、清掃部２３の軸部２３ａの両端に取り付けられている。また、操作部２３ｃが管部２２の外側に配置されるように、軸部２３ａが管部２２に形成された案内孔２２ｇを貫通している。この案内孔２２ｇは、長孔状に形成され、清掃部２３でフィルタ２１Ａの全面を移動できる長さに形成されている。なお、本実施形態では、両側に操作部２３ｃが設けられた場合を例に挙げて説明したが、管部２２の片側のみに案内孔２２ｇを設けて、片側のみに操作部２３ｃを設ける構成であってもよい。その場合には、貫通しない側には、軸部２３ａがスライドする溝を設ければよい。
【００４２】
前記した清掃部２３を動かすための操作部２３ｃは、覆い部２４の内側(図３のつば部２４ａの下側)に設置することが望ましい。このように、覆い部２４の内側（下側）に操作部２３ｃを配置し、着脱部１２を布類乾燥装置１００（洗濯乾燥機Ｆ１、図１参照）に設置した際に、操作部２３ｃが布類乾燥装置１００（筐体１）内に格納されるように構成する。これにより、着脱部１２を布類乾燥装置１００に取り付けた状態で清掃部２３を操作することができなくなり、誤操作を防止できる。
【００４３】
また、着脱部１２を布類乾燥装置１００に組み付ける際に、清掃部２３が退避位置（待機位置）に戻るように構成されている。すなわち、布類乾燥装置１００は、操作部２３ｃ，２３ｃに対応する位置に、操作部２３ｃの下面が当接して、操作部２３ｃを押し上げるガイド板２５，２５（清掃部退避機構）が形成されている。このガイド板２５の上端（高さ）は、清掃部２３をフィルタ２１Ａと重ならない位置まで押し上げることができる高さに位置している。
【００４４】
ところで、清掃部２３が退避部２２ｃに位置せず、清掃部２３がフィルタ２１Ａ上に位置していると、送風に悪影響を与えることになる。そこで、本実施形態では、例えば、二点鎖線で示す位置に清掃部２３が位置している状態で、着脱部１２を布類乾燥装置１００に取り付けたとしても、ガイド板２５によって操作部２３ｃが、フィルタ２１Ａと重ならない位置まで押し上げられるので、送風に悪影響を与えることを確実に防止できる。
【００４５】
また、図３に示す構成に替えて、清掃部２３が退避部２２ｃに位置していないときに、着脱部１２を布類乾燥装置１００に取り付けできないように構成してもよい。このように構成した場合であっても、清掃部２３がフィルタ２１Ａ上に残ることがなくなり（重なることがなくなり）、送風に悪影響を与えることを防止できる。このような構成としては、図示していないが、例えば、布類乾燥装置１００に、操作部２３ｃがフィルタ２１Ａと重ならない位置（上端部）でしか嵌合することができない嵌合部を設けることによって実現できる。
【００４６】
このように構成された第１実施形態のフィルタ装置８Ａは、フィルタ２１Ａと、フィルタ２１Ａで捕獲されたリント９を清掃する清掃部２３と、フィルタ２１Ａの上流側に位置する管部２２と、を備える。また、フィルタ２１Ａ、清掃部２３および管部２２は、一体で布類乾燥装置１００に対して着脱が可能な着脱部１２である。この着脱部１２は、フィルタ２１Ａと管部２２とを壁面とした、開口部２２ｄを有するカップ形状である。これによれば、清掃部２３によってフィルタ２１Ａから掻き落とされたリント９は飛び散る心配がなく、開口部２２ｄからダストボックス１０に廃棄することが可能となり、取扱いが容易となる。また、フィルタ装置８Ａでは、フィルタ２１Ａと管部２２とでカップ状に形成されたものに清掃部２３を設けるだけであるので、簡単な構成で実現できる。
【００４７】
また、第１実施形態は、フィルタ２１Ａのフィルタ面２１ｓに沿って移動させる刷毛部材２３ｂを備えた清掃部２３（ブラシ状の清掃部）を有する。これによれば、簡単な構成でフィルタ２１Ａに付着したリント９を取り除くことができる。
【００４８】
（第２実施形態）
図４は、第２実施形態に係る清掃機構付きフィルタ装置の実装配置の一例を説明する図である。なお、図４は、洗濯乾燥機Ｆ１（布類乾燥装置１００）の内部を上方から見たときの平面図である。
ところで、図１で説明したように、本実施形態の清掃機構付きフィルタ装置８Ａを布類乾燥装置１００に実装する場合、装置上部が適切である。布類乾燥装置１００では、限られた装置サイズの中で、できるだけ多くの布類を乾燥できるようにする必要があることから、できるだけ大きな回転ドラム３を実装配置することが望まれる。概略箱形の装置の中に、大きな回転ドラム３を配置した場合に残される実装空間としては、装置背面側におけるドラムモータ４（図１参照）の脇の空間と、円筒状の回転ドラム３の斜め上となる装置側面側の空間となる。このような事情から、本実施形態におけるフィルタ装置８Ｂの前後の送風ダクト６の配置形状は、概ね図４に示す配置を取るのが、装置の小型化を考慮した場合、実装上有効である。
【００４９】
まず、回転ドラム３に空気を送る送風機１４の実装個所としては、円筒状の回転ドラム３の斜め上となる装置側面側の空間である。そして、送風ダクト６は、回転ドラム３から排出された空気を装置上方の送風機１４に送るための送風路として、装置背面に垂直に延びて配置されている。図４に示すこの実装配置条件下では、本実施形態のフィルタ装置８Ｂは、送風ダクト６が直角に曲がる位置(破線で囲まれた領域Ｒ)に実装することができる。この送風ダクト６の屈曲部に、後記するフィルタ装置８Ｂを配置することが、比較的容易となる。
【００５０】
図５は、第２実施形態の清掃機構付きフィルタ装置を示し、（ａ）は布類乾燥装置に取り付けた状態、（ｂ）は布類乾燥装置を運搬するときの状態、（ｃ）フィルタ清掃時の状態である。なお、図５（ａ）では、第１実施形態と同様に、送風ダクト６の一部を示し、ハッチング部で示す部分が着脱される部分となる。
【００５１】
図５（ａ）に示すように、第２実施形態のフィルタ装置８Ｂは、リント９を捕獲するフィルタ２１Ｂと、管部３２（送風路の一部）と、フィルタ２１Ｂで捕獲されたリント９を清掃する清掃部３３（清掃手段）と、を備えている。フィルタ２１Ｂは、第１実施形態のフィルタ２１Ａと同様である。
【００５２】
管部３２は、送風ダクト６の周壁を構成する筒体３２ａと、この筒体３２ａの下流側に形成される退避部３２ｂと、を有している。また、管部３２は、送風ダクト６に取り付けられたときに、管部３２と送風ダクト６との境界部分から空気が漏れ出ないように、パッキンなどを介して気密性が確保されるように構成されている。
【００５３】
筒体３２ａは、約９０度屈曲した流路を有し、一端にフィルタ２１Ｂが取り付けられ、他端に開口部３２ｄが形成されている。フィルタ２１Ｂのフィルタ面２１ｓと開口部３２ｄの面とが直交している。なお、図示省略しているが、筒体３２ａの上部には、第１実施形態で説明した覆い部２４（図２参照）が筒体３２ａと一体に形成されている。
【００５４】
清掃部３３は、基部３３ａに、リント９を掻き取ることができるブレード部材３３ｂが固着されて構成されている。ブレード部材３３ｂにすることで設置幅を小さくできるので、回転式のものに比べてフィルタ２１Ｂの設置面積を広げることができる。また、清掃部３３は、フィルタ２１Ｂの上流側のフィルタ面２１ｓに沿って移動できるように清掃動作機構が設けられている。清掃部３３がフィルタ２１Ｂ上を移動する際、清掃部３３のブレード部材３３ｂによって、フィルタ２１Ｂ上のリント９が掻き取られる（捕獲される）。
【００５５】
図５（ａ）においてハッチング部で示すように、フィルタ装置８Ｂは、フィルタ２１Ｂと管部３２とを壁面とした、開口部３２ｄを有するカップ形状（カップ型）となるように構成されている。また、フィルタ２１Ｂと管部３２と清掃部３３は、一体に構成され、布類乾燥装置１００（装置本体）に対して着脱可能な着脱部１２として構成されている。
【００５６】
図５（ａ）に示すように、送風ダクト６は、送風時の風が、矢印の方向(図中下から左)に流れる。送風ダクト６は、フィルタ２１Ｂの手前で屈曲する構造を有している。送風ダクト６には、フィルタ２１Ｂとその上流側の管部３２（送風路の一部）が一体となって着脱可能となっている。着脱部１２は、フィルタ２１Ｂの上流側の管部３２を含み、図中のハッチングで示す部分である。図５（ａ）は、送風ダクト６の断面を示しているために、記載されていないが、ハッチング部と同じ長さの紙面手前と奥側の壁面も一体で着脱する。着脱部１２は、送風ダクト６の風上側に開口部３２ｄを有し、フィルタ２１Ｂのフィルタ面２１ｓを側面(開口部３２ｄと直行する面)とするカップ型となる。フィルタ２１Ｂの一方の端部には、清掃部３３とそれを格納する退避部３２ｂが設けられている。着脱部１２が布類乾燥装置１００の送風ダクト６に取り付けられ、送風が行われる状態では、清掃部３３が退避部３２ｂの位置で保持されている。
【００５７】
図５（ｂ）に示すように、送風ダクト６（図５（ａ）参照）から取り外された着脱部１２はカップ型をしていることから、着脱部１２を送風ダクト６から取り外して運搬する場合、開口部３２ｄを上向きにして持ち運ぶことで、フィルタ２１Ｂ上のリント９が剥がれ落ちにくいとともに、万一フィルタ２１Ｂからリント９が剥がれ落ちても、カップ内で保持することができる。
【００５８】
図５（ｃ）に示すように、フィルタ２１Ｂを清掃する場合には、ダストボックス１０上において、開口部３２ｄを下向きにして、清掃部３３のブレード部材３３ｂをフィルタ２１Ｂのフィルタ面２１ｓに上下方向に平行移動させることで行う。図５（ｃ）において示す太い実線矢印は、清掃時の清掃部３３（または管部３２）を動かす方向を示している。着脱部１２は、フィルタ２１Ｂと管部３２とによって、清掃部３３を囲むカップ形状を有していることから、清掃部３３によってフィルタ２１Ｂから掻き落とされたリント９は飛び散る心配がなく、開口部３２ｄからダストボックス１０に廃棄することが容易である。この構造の場合、フィルタ２１Ｂのフィルタ面２１ｓが開口部３２ｄと隣接する面に形成され、開口部３２ｄに向かって清掃できることから、フィルタ２１Ｂから回収されたリント９が、第１実施形態よりスムーズにダストボックス１０に落ち易い。図２に示す第１実施形態の場合は、フィルタ２１Ａから剥離したリント９が、壁面や清掃部２３などに付着する恐れがある。フィルタ２１Ｂ上のリント９を掻き集めて清掃する方式の場合は、フィルタ２１Ｂの側面に開口部３２ｄを配置した図５の構造は有効であり、ブレード部材３３ｂなどの比較的単純な清掃部３３を適用し易くなる。また、第１実施形態の清掃部２３に比較して回転動作の必要がない清掃部３３は、清掃部２３と比較して、清掃性は若干劣るが、クリーニング機構の動作が単純であるので、動作機構の構造が簡単になるという利点がある。
【００５９】
第２実施形態においては、図５（ａ）に示すように、送風ダクト６が屈曲した位置に設けられている。このように、布類乾燥装置１００におけるフィルタ２１Ｂの設置位置付近の送風ダクト６の形状に合わせて、図２（ａ）や図５（ａ）の方式を選定することができる。また、清掃部２３の刷毛部材２３ｂや清掃部３３のブレード部材３３ｂなどの清掃手段においても、機構の複雑さや清掃性を考慮して適切な方式を選定することができる。さらに、そのほか各種フィルタの清掃方式が、本実施形態には適用可能であるので、清掃するリント９の種類や付着状況などに応じて選定することが望ましい。
【００６０】
以上説明したように、第２実施形態の清掃機構付きフィルタ装置８Ｂは、着脱部１２がカップ形状をしていることによって、布類乾燥装置１００からの取り外しや運搬時、さらに、ダストボックス１０上での清掃手段によるフィルタ清掃時においても、フィルタ２１Ｂに付着したリント９の飛び散りなどを防止できる。布類乾燥装置１００から取り外した後のフィルタ２１Ｂからのリント９の飛び散りをより確実に防止するためには、カップ形状の開口部を塞ぐ蓋を設ける方法が有効である。
【００６１】
例えば、カップ形状において開口部３２ｄに設けた蓋は、清掃機構の動作レバーに連動して、開放するように構成することで、清掃時の操作性が向上する。さらに、布類乾燥装置１００への取付け時にも蓋が開くようにすることで、操作ミスをなくすとともに、操作性を改善することができる。
【００６２】
図６は、第２実施形態に係る清掃機構付きフィルタ装置の清掃動作機構の断面図を示し、（ａ）は清掃前、（ｂ）は清掃後である。清掃部を操作する部分の機構としては、送風ダクト６の形状やフィルタ２１Ｂの配置などに合わせて、いくつかの構成を採用することができる。なお、図６は、図５で説明した第２実施形態をベースにしているため、着脱部１２は屈曲しているとともに、清掃手段としてはフィルタ２１Ｂ上を移動する清掃部３３（ブレード部材３３ｂ）となっている。
【００６３】
図６（ａ）に示すように、フィルタ装置８Ｂの清掃動作機構６１（清掃手段）は、直動方式である。この清掃動作機構６１は、清掃部３３に固定される棒状部材６１ａと、棒状部材６１ａの先端に形成される取手部６１ｂと、管部３２に形成されて棒状部材６１ａが摺動自在に挿通される挿通孔３２ｅと、棒状部材６１ａと挿通孔３２ｅとの隙間に設けられるシール部材６１ｃと、によって構成されている。
【００６４】
挿通孔３２ｅは、退避部３２ｂが形成される側の壁面に形成され、フィルタ面２１ｓと平行な方向に貫通している。また、挿通孔３２ｅを円形にすることで、扁平な板状にする場合よりも、挿通孔３２ｅの断面を小さくすることができ、送風時の空気漏れを防ぐ機構を簡単に構成できる。
【００６５】
図６（ｂ）に示すように、棒状部材６１ａは、挿通孔３２ｅに対して進退可能に構成され、清掃部３３をフィルタ２１Ｂの一端（図示上端）から他端（図示下端）まで移動させることができる長さを有している。この棒状部材６１ａは、清掃部３３が退避部３２ｂに位置している状態では、管部３２から最大の長さで外側に突き出ている。
【００６６】
取手部６１ｂは、挿通孔３２ｅの直径よりも大きな径（断面）を有する部材で形成されている。これにより、棒状部材６１ａが挿通孔３２ｅから抜け出るのを防止して、清掃部３３が管部３２から脱落するのを防止できる。
【００６７】
このように、清掃動作機構６１は、ブレード部材３３ｂの背面に棒状部材６１ａを配置し、その後ろ側に設けられた取手部６１ｂを押し込むことでブレード部材３３ｂを押し出す機構である。この構造は、ブレード部材３３ｂを動かす構造としては、最も単純で簡単な構成である。
【００６８】
（第３実施形態）
図７は、第３実施形態の清掃機構付きフィルタ装置の断面図を示し、（ａ）は清掃前、（ｂ）は清掃後である。なお、図７は、フィルタ２１Ｂを内側正面から見た状態である。
図７（ａ）に示すように、フィルタ装置８Ｃの清掃動作機構６２（清掃手段）は、別の直動方式である。この清掃動作機構６２は、清掃部３３（平行移動操作体）の長手方向の両端から突出する棒状部材６２ａと、この棒状部材６２ａの両端に取り付けられる取手部６２ｂ，６２ｂと、管部３２に形成されて棒状部材６２ａがスライド自在に挿通されるスライドガイド３２ｆ，３２ｆと、棒状部材６２ａとスライドガイド３２ｆとの間に設けられるシール部材６２ｃと、によって構成されている。取手部６２ｂは、管部３２の外側に位置するように構成されている。
【００６９】
図７（ｂ）に示すように、スライドガイド３２ｆは、棒状部材６２ａを摺動可能に案内し、清掃部３３をフィルタ２１Ｂの一端（図示上端）から他端（図示下端）まで移動させることができる長さを有している。
【００７０】
このように、清掃動作機構６２（清掃手段）は、ブレード部材３３ｂの側方に棒状部材６２ａおよび取手部６２ｂ，６２ｂを取り付けて、送風ダクト６の壁面（側面）に沿って取手部６２ｂ，６２ｂをスライドさせることで、清掃部３３を操作する構成である。この構成では、取手部６２ｂが管部３２から大きく飛び出すことなく清掃部３３を動作させることができ、フィルタ２１Ｂに付着したリント９を取り除くことができる。
【００７１】
第３実施形態では、清掃部３３が退避部３２ｂに退避した状態において、取手部６２ｂが外側に長く飛び出すことがない。このため、布類乾燥装置１００内の取付け部分である送風ダクト６の近くに、図６のような押し込み用の棒状部材６１ａを格納するスペースを確保する必要がない。
【００７２】
（第４実施形態）
図８は、第４実施形態の清掃機構付きフィルタ装置の断面図を示し、（ａ）は清掃前、（ｂ）は清掃後である。
図８（ａ）に示すように、フィルタ装置８Ｄの清掃動作機構６３（清掃手段）は、さらに別の直動方式である。この清掃動作機構６３は、清掃部３３（平行移動操作体）の長手方向の両端から突き出し、管部３２の側壁に沿って延び、さらに開口部３２ｄにおいて管部３２の外側に延びる腕部６３ａと、この腕部６３ａの両端に取り付けられる取手部６３ｂ，６３ｂと、によって構成されている。取手部６３ｂは、管部３２の外側に位置するように構成されている。
【００７３】
腕部６３ａは、清掃部３３が退避部３２ｂに位置している状態において、フィルタ２１Ｂと重ならない位置に形成されている。これにより、送風に悪影響を与えることを防止できる。
【００７４】
このように、清掃動作機構６３（清掃手段）は、送風ダクト６内に略コの字型の入れ子構造体を形成し、それにブレード部材３３ｂ（清掃部３３）を取り付けた構造としている。図８（ｂ）に示すように、清掃時はコの字型の入れ子構造体を抜き出すことで、ブレード部材３３ｂでフィルタ２１Ｂ上のリント９を掻き取ることが可能となる。また、この構造の場合、入れ子部分を送風ダクト６から取り出すことが可能になるので、清掃部３３単体の清掃ができるとともに、万一、カップ形状を構成するフィルタ２１Ｂにリント９が詰まった場合でも、清掃しやすい構造である。また、布類乾燥装置１００内の送風ダクト６に取り付ける場合には、送風ダクト６内に清掃部３３が入れ子構造となることから、操作する取手部６３ｂが送風ダクト６からほとんど突き出さない構造にすることも可能である。これにより、送風ダクト６と管部３２との間における気密構造を簡単にできる。
【００７５】
第４実施形態では、図７に示すようなスライドガイド３２ｆを形成する必要がなく、スライドガイド３２ｆに風が漏れ出ないようにするためのシール部材６２ｃを設ける必要がないので、送風時に風が漏れ出るのを防止することができる。
【００７６】
（第５実施形態）
図９は、第５実施形態の清掃機構付きフィルタ装置の断面図を示し、（ａ）は清掃前、（ｂ）は清掃後である。なお、第５実施形態では、着脱する送風ダクト６の部分は屈曲している。
図９（ａ）に示すように、フィルタ装置８Ｅは、リント９を捕獲するフィルタ２１Ｃと、管部４２（送風路の一部）と、フィルタ２１Ｃで捕獲されたリント９を清掃する清掃部３３（清掃手段）と、を備えている。
【００７７】
フィルタ２１Ｃは、側面視において円弧状に曲げられた形状を有している。本実施形態では、円弧が約９０度を成すように構成されている。また、フィルタ２１Ｃは、開口部４２ｄに隣接する面に形成されている。
【００７８】
管部４２は、送風ダクト６の周壁を構成する筒体４２ａと、この筒体４２ａの下流側の端部に形成され、清掃部３３を退避させる退避部４２ｂと、を有している。また、管部４２は、送風ダクト６に取り付けられたときに、管部４２と送風ダクト６との境界部分から空気が漏れ出ないように、パッキンなどを介して気密性が確保されるように構成されている。
【００７９】
筒体４２ａは、一端にフィルタ２１Ｃが取り付けられ、他端に開口部４２ｄが形成されている。なお、図示省略しているが、筒体４２ａの上部（紙面垂直方向の手前側）には、覆い部２４（図２参照）が一体に形成されている。
【００８０】
清掃部３３は、フィルタ２１Ｃのフィルタ面２１ｓに沿って回動できるように構成されている。清掃部３３がフィルタ２１Ｂ上を移動することで、清掃部３３のブレード部材３３ｂによって、フィルタ２１Ｃ上のリント９が掻き取られる（捕獲される）。
【００８１】
第５実施形態では、ブレード部材３３ｂを回転動作させることで、フィルタ２１Ｃが清掃される。着脱する送風ダクト６の部分は屈曲しているとともに、清掃機構としてはフィルタ２１Ｃ上を移動するブレード部材３３ｂである。回転構造は、直動構造に比較して、シール部材を形成しやすい。
【００８２】
図９（ａ）に示すように、フィルタ装置８Ｅの清掃動作機構６４（清掃手段）は、回動方式である。この清掃動作機構６４は、清掃部３３に固定されるアーム部材６４ａと、アーム部材６４ａを軸支する軸部６４ｂ（回転中心）と、清掃部３３を回動させる操作レバー６５ａと、によって構成されている。
【００８３】
操作レバー６５ａの基端は、軸部６４ｂに固定されている。操作レバー６５ａを回動操作することで、清掃部３３も同方向に回動するように構成されている。
【００８４】
このように、フィルタ装置８Ｅは、フィルタ２１Ｃを曲面状とし、回転するアーム部材６４ａの最外部に清掃部３３（ブレード部材３３ｂ）を設けて清掃する方式である。操作する操作レバー６５ａは、図９中紙面側の壁面の向こう側に設けられ、隠れ線(破線)で記載している。操作レバー６５ａを矢印の方向に回転させることで、清掃部３３を取り付けたアーム部材６４ａを回転させて、清掃を行う構成である。この方式では、曲面のフィルタ２１Ｃを用いていることから、フィルタ面２１ｓとブレード部材３３ｂとの距離、つまりブレード部材３３ｂの接触条件を清掃角度範囲内で適正内になるように構成することが重要である。
【００８５】
（第６実施形態）
図１０は、第６実施形態の清掃機構付きフィルタ装置の断面図を示し、（ａ）は清掃前、（ｂ）は清掃後である。なお、第６実施形態では、着脱する送風ダクト６の部分は屈曲している。
図１０（ａ）に示すように、フィルタ装置８Ｆは、リント９を捕獲するフィルタ２１Ｄと、管部５２（送風路の一部）と、フィルタ２１Ｄで捕獲されたリント９を清掃する清掃部３３（清掃手段）と、を備えている。
【００８６】
フィルタ２１Ｄは、正面視において略扇平面状を呈している。本実施形態では、扇型が約９０度の角度を成すように構成されている。
【００８７】
管部５２は、送風ダクト６の周壁を構成する筒体５２ａと、この筒体５２ａの下流側の端部に形成される退避部５２ｂと、を有している。この退避部５２ｂは、清掃部３３をフィルタ２１Ｄと重ならない位置に退避させることができる。
【００８８】
筒体５２ａは、側面にフィルタ２１Ｄが取り付けられ、下部に開口部５２ｄが形成されている。なお、図示省略しているが、筒体５２ａの上部には、覆い部が一体に形成されている。
【００８９】
清掃部３３は、フィルタ２１Ｄのフィルタ面２１ｓに沿って回動できるように構成されている。図１０（ｂ）に示すように、清掃部３３がフィルタ２１Ｄ上を移動することで、清掃部３３のブレード部材３３ｂによって、フィルタ２１Ｄ上のリント９が掻き取られる（捕獲される）。
【００９０】
図１０（ａ）に示すように、清掃機構付きフィルタ装置８Ｆの清掃動作機構６６（清掃手段）は、別の回動方式である。この清掃動作機構６６は、清掃部３３に固定されるアーム部材６６ａと、アーム部材６６ａを軸支するヒンジ部６６ｂ（回転中心）と、清掃部３３を回動させる操作レバー６６ｃと、によって構成されている。
【００９１】
アーム部材６６ａは、管部５２の内側に位置し、操作レバー６６ｃは、管部５２の外側に位置するように構成されている。ヒンジ部６６ｂは、管部５２に支持されている。
【００９２】
このように、第６実施形態では、清掃部３３（ブレード部材３３ｂ）を回転動作させることで、フィルタ２１Ｄを清掃するものである。着脱する送風ダクト６の部分は屈曲している。清掃機構としてはフィルタ２１Ｄ上を移動するブレード部材３３ｂである。回転構造は、直動構造に比較して、気密シールを構成し易い。
【００９３】
また、フィルタ２１Ｄの形状が扇形になるが、平面であることから、フィルタ２１Ｄの形成が比較的容易である。この実施形態における清掃機構の操作部は、回転軸を壁面上に置くことで、管部５２の外側に操作レバー６６ｃが配置される。
【００９４】
（第７実施形態）
図１１は、第７実施形態の清掃機構付きフィルタ装置の断面図を示し、（ａ）は運搬時の状態、（ｂ）は布類乾燥装置に取り付けた状態である。なお、以下では、第１実施形態の構成をベースにして説明するが、他の実施形態に適用することもできる。
【００９５】
図１１（ａ）に示すように、第７実施形態のフィルタ装置８Ｇは、開口部２２ｄを開閉する蓋部６７ａを備えている。この蓋部６７ａは、管部２２（筒体２２ａ）にヒンジ部６７ｂを介して回動自在に取り付けられている。また、蓋部６７ａの先端には、開口部２２ｄを上向きにした状態で蓋部６７ａを閉じたときに、斜め下方を向くテーパ面６７ｃが形成されている。また、図示していないが、蓋部６７ａを閉じる方向に付勢する弾性部材が設けられている。なお、本実施形態では、ヒンジ部６７ｂとテーパ面６７ｃとによって開閉動作機構が構成されている。
【００９６】
図１１（ｂ）に示すように、蓋部６７ａを備えた着脱部１２を送風ダクト６（布類乾燥装置１００）に装着する場合には、蓋部６７ａの先端を下向きにした状態で取り付けられる。着脱部１２を送風ダクト６に向けて下降させることで、蓋部６７ａのテーパ面６７ｃが送風ダクト６の外周面に当接することで、図示しない弾性部材の付勢力に反発しながら、送風ダクト６の外周面上をスライド動作する。そして、着脱部１２が所定位置に設置されると、蓋部６７ａが全開となり、図１１（ｂ）に示す状態に至る。逆に、図１１（ｂ）に示す状態から着脱部１２を取り外す場合には、蓋部６７ａが徐々に閉じながら送風ダクト６から引き抜かれる。そして、着脱部１２が完全に引き抜かれると、蓋部６７ａによって開口部２２ｄが閉じられる。
【００９７】
このように、第７実施形態では、開閉動作機構によって、蓋部６７ａを布類乾燥装置１００に対する着脱動作に連動して開閉するように構成されている。これにより、凛と９の飛散をより確実に抑制できるとともに、ダストボックス１０上で蓋部６７ａさえ開ければ、リント９を廃棄できることから、さらに操作性が向上する。
【００９８】
（図８実施形態）
図１２は、第８実施形態の清掃機構付きフィルタ装置を布類乾燥装置に取り付けた状態を示す断面図である。
図１２に示すように、第８実施形態のフィルタ装置８Ｈは、第１実施形態の構成に、退避部２２ｃに位置する清掃部３３に蓋をする蓋体６８ａを追加した構成である。この蓋体６８ａは、ヒンジ６８ｂを介して管部２２に回動自在に支持されている。また、蓋体６８ａは、図示しないバネ部材によって、蓋体６８ａを閉じる方向に付勢されている。また、蓋体６８ａは、送風ダクト６の軸方向ｇにおいて、フィルタ２１Ａと重ならない位置に配置されている。
【００９９】
なお、着脱部１２を送風ダクト６から取り外して、清掃部２３でフィルタ２１Ａを清掃する場合には、清掃部２３をフィルタ２１Ａ側に動作させることで、そのときの動作力によって、バネ部材の付勢力を受けながら蓋体６８ａが開放する。
【０１００】
このように、蓋体６８ａを設けることにより、送風時にリント９が清掃部２３に付着するのを防止することができる。また、風の流れをフィルタ２１Ａ側に整流することができるので、乾燥効率を向上できる。なお、蓋部６８ａを閉じる方向に付勢するバネ部材を設けずに、風の流れの圧力で蓋部６８ａが閉じるようにしてもよい。
【０１０１】
以上、説明したように、前記した各実施形態の清掃機構付きフィルタ装置８Ａ〜８Ｈおよびそれを用いた布類乾燥装置１００を用いることで、簡単な方法で、リントの飛散などの発生しないフィルタ清掃を実現できる。
【０１０２】
なお、本発明は、前記した実施形態に限定されるものではなく、前記した各実施形態を適宜組み合わせて構成してもよい。
【符号の説明】
【０１０３】
１      筐体
２      外槽
３      回転ドラム
４      ドラムモータ
６      送風ダクト（送風路）
８Ａ，８Ｂ，８Ｃ，８Ｄ，８Ｅ，８Ｆ，８Ｇ，８Ｈ  清掃機構付きフィルタ装置
９      リント
１０    ダストボックス
１２    着脱部
１３    固定フィルタ
１４    送風機
１６    扉
２１Ａ，２１Ｂ．２１Ｃ，２１Ｄ  フィルタ
２１ｓ  フィルタ面
２２，３２，４２，５２  管部（送風路の一部）
２２ａ，３２ａ，４２ａ，５２ａ  筒体
２２ｃ，３２ｂ，４２ｂ，５２ｂ  退避部
２２ｄ，３２ｄ，４２ｄ，５２ｄ  開口部
２２ｅ  突起部
２２ｆ  テーパ面
２３，３３  清掃部（清掃手段）
２３ｂ  刷毛部材
２４    覆い部
２５    ガイド板（清掃部退避機構）
３３ｂ  ブレード部材
６１，６２，６３，６４，６６  清掃動作機構（清掃手段）
６２ｂ  操作部
６３ａ  腕部
６４ｂ  軸部（回転中心）
６６ｂ  ヒンジ部（回転中心）
１００  布類乾燥装置（装置本体）
Ｆ１    洗濯乾燥機（装置本体）
【図１】
2018175595.tif 000003
【図２】
2018175595.tif 000004
【図３】
2018175595.tif 000005
【図４】
2018175595.tif 000006
【図５】
2018175595.tif 000007
【図６】
2018175595.tif 000008
【図７】
2018175595.tif 000009
【図８】
2018175595.tif 000010
【図９】
2018175595.tif 000011
【図１０】
2018175595.tif 000012
【図１１】
2018175595.tif 000013
【図１２】
2018175595.tif 000014